(57)【要約】【課題】発光部が発光する色を発光具の使用者が欲する色に素早く切り換えることができる発光具を提供する。【解決手段】複数の色を発光する発光部３と、発光部３が発する色を選択するための複数の被操作部１１を備えている集合スイッチ５と、集合スイッチ５の各被操作部１１のうちで、操作がされた被操作部１１に応じた色を、発光部３で発光させる制御部７とを有する発光具１である。【選択図】図１
2018081752.tif 000002
【特許請求の範囲】
【請求項１】
複数の色を発光する発光部と、
前記発光部が発する色を選択するための複数の被操作部を備えている集合スイッチと、
前記集合スイッチの各被操作部のうちで、操作がされた被操作部に応じた色を、前記発光部で発光させる制御部と、
を有することを特徴とする発光具。
【請求項２】
請求項１に記載の発光具において、
前記制御部は、前記集合スイッチの各被操作部のうちで操作がされた被操作部が、前記操作後に再び操作されたときに、前記発光部が発していた色と同系色の色を前記発光部で発光させることを特徴とする発光具。
【請求項３】
請求項１または請求項２に記載の発光具において、
前記集合スイッチには、前記各被操作部が、３行×３列で配置されており、前記各被操作部のうちの中央部のものが、電源をオン・オフするものであることを特徴とする発光具。
【発明の詳細な説明】
【技術分野】
【０００１】
本発明は、発光具に係り、特に、発光部で発光する色を切り換えることができるものに関する。
【背景技術】
【０００２】
従来、複数色を発光可能な発光部とメモリとを備え、上記メモリに格納されている発光パターンで、上記発光部が発光する色を変えるペンライトが知られている（たとえば、特許文献１参照）。
【先行技術文献】
【特許文献】
【０００３】
【特許文献１】特開２０１４−２１２０２１号公報
【発明の概要】
【発明が解決しようとする課題】
【０００４】
ところで、ペンライトをコンサート用ライトとしてコンサート会場で使用する場合、コンサートで演奏される楽曲等に合わせて、ペライトの使用者が自らの意志で発光部が発する色の変更を欲することが多々ある。
【０００５】
そこで、ペンライトにプッシュボタン等のスイッチを設け、このスイッチを押す毎に、発光部が発光する色を順に切り換えるようにすることが考えられる。
【０００６】
しかし、このようなプッシュボタンを備えたペンライトでは、発光部が発光する色が順に切り換わるようになっているので、発光部が発光する色を使用者が欲する色に素早く切り換えることができないという問題がある。
【０００７】
本発明は、上記問題点に鑑みてなされたものであり、発光部が発光する色を発光具の使用者が欲する色に素早く切り換えることができる発光具を提供することを目的とする。
【課題を解決するための手段】
【０００８】
請求項１に記載の発明は、複数の色を発光する発光部と、前記発光部が発する色を選択するための複数の被操作部を備えている集合スイッチと、前記集合スイッチの各被操作部のうちで、操作がされた被操作部に応じた色を、前記発光部で発光させる制御部とを有する発光具である。
【０００９】
請求項２に記載の発明は、請求項１に記載の発光具において、前記制御部は、前記集合スイッチの各被操作部のうちで操作がされた被操作部が、前記操作後に再び操作されたときに、前記発光部が発していた色と同系色の色を前記発光部で発光させる発光具である。
【００１０】
請求項３に記載の発明は、請求項１または請求項２に記載の発光具において、前記集合スイッチには、前記各被操作部が、３行×３列で配置されており、前記各被操作部のうちの中央部のものが、電源をオン・オフするものである発光具である。
【発明の効果】
【００１１】
本発明によれば、発光部が発光する色を発光具の使用者が欲する色に素早く切り換えることができる発光具を提供することができるという効果を奏する。
【図面の簡単な説明】
【００１２】
【図１】本発明の実施形態に係る発光具の概略構成を示す図である。
【図２】図１におけるＩＩ矢視図である。
【図３】図１におけるＩＩＩ矢視図である。
【図４】集合スイッチを示す図であって、図１におけるＩＶ部の拡大図である。
【図５】１つ目の変形例に係る発光具の概略構成を示す図であって、図３に対応した図である。
【図６】２つ目の変形例に係る発光具の概略構成を示す図であって、図３に対応した図である。
【図７】３つ目の変形例に係る発光具の概略構成を示す図であって、図３に対応した図である。
【図８】操作ボタンの操作と、発光部が発する色とを示す図である。
【発明を実施するための形態】
【００１３】
本発明の実施形態に係る発光具１は、たとえば、コンサート用のライトとして観客（使用者）が手に持って使用するものであり、図１や図２で示すように、発光部（第１の発光部）３と集合スイッチ（パネルスイッチ）５と制御部７とを備えて構成されている。
【００１４】
発光部３は、筐体９に設けられており、複数の色（青色、赤色、緑色等の複数種類の色）を発光するようになっている。たとえば、発光部３は、赤色を発する赤色ＬＥＤ（図示せず）と、緑色を発する緑色ＬＥＤ（図示せず）と、青色を発する青色ＬＥＤ（図示せず）とを備えて構成されており、これらの三原色を発する各ＬＥＤそれぞれの輝度を適宜変えることで、フルカラーで任意の色で発光するようになっている。
【００１５】
集合スイッチ５は、筐体９に設けられており、発光部３が発する色（色の種類）を選択するための複数の被操作部１１を備えている（図４参照）。
【００１６】
被操作部１１は、人の指で操作されるようになっている。さらに具体的には、被操作部１１は、人の指で押される複数の被押圧部（ボタン；プッシュボタン）１１Ａ〜１１Ｉで構成されている。複数の被押圧部１１は、お互いが隣接してマトリックス状に配置されている。そして、複数の被押圧部１１Ａ〜１１Ｉのうちの１つの被押圧部を人が選択し、この選択した１つの押圧部１１を人が指で押すようになっている。
【００１７】
各被押圧部１１Ａ〜１１Ｉのそれぞれには、文字、図形、記号、色等の少なくともいずれかで構成されている識別符号が設けられている。各識別符号のそれぞれ（詳しくは後述する中央の電源用被押圧部１１Ｅのものを除く）は、たとえば、「Ｇ」、「Ｂ」等の、発光部３が発する色の頭文字を表している。
【００１８】
そして、被押圧部１１（たとえば、被押圧部１１Ａ）が押されたときに、この被押圧部１１Ａの一対の接点同士（図示せず）が接触してスイッチの回路（被押圧部１１Ａのスイッチ回路）が閉じ、被押圧部１１Ａの押圧をやめたときに、この一対の接点同士が離れて回路が開くようになっている。
【００１９】
制御部７は、筐体９に設けられており、集合スイッチ５の各被押圧部１１Ａ〜１１Ｄ、１１Ｆ〜１１Ｉのうちの押圧された被押圧部（たとえば被押圧部１１Ａ）に応じた色（たとえばグリーン）を、発光部３で発光させるようになっている。
【００２０】
また、制御部７は、集合スイッチ５の各被押圧部１１Ａ〜１１Ｄ、１１Ｆ〜１１Ｉのうちで押圧された被押圧部（たとえば被押圧部１１Ｂ）が、押圧後に再び押圧されたときに、発光部３が発していた色と同系色（同系統）の色を、発光部３が発していた色から切り換えて、発光部３で発光させるようになっている。
【００２１】
たとえば、被押圧部１１Ｂが押圧されこの押圧が解除された後、押圧部１１Ｂ以外の押圧部（１１Ａ、１１Ｃ〜１１Ｉ）が押圧されることなく、被押圧部１１Ｂが再び押圧されこの押圧が解除されたときに、発光部３が同系色の色を発光するようになっている。
【００２２】
集合スイッチ５には、各被押圧部１１Ａ〜１１Ｉが、図４で示すように、３行×３列で配置されており、各被押圧部１１Ａ〜１１Ｉのうちの中央部の被押圧部１１Ｅが、発光具１の電源をオン・オフする電源スイッチになっている。
【００２３】
発光具１についてさらに詳しく説明すると、発光具１の筐体９は、グリップ（把持部）１３と発光部カバー（発光部覆い）１５とを備えて構成されている。
【００２４】
グリップ１３は黒色等の不透明な合成樹脂で有底円筒状（円筒枡状；円筒の一方の端の円形の開口部を円板で塞いだ形状）に形成されており、円筒の端部（開口している側の端部）の内周にはメスネジ部（図示せず）が形成されている。
【００２５】
発光部カバー１５は、透明もしくは乳白色等の半透明の合成樹脂で有底円筒状に形成されており、円筒の端部（開口している側の端部）の外周にはオスネジ部（図示せず）が形成されている。
【００２６】
そして、発光部カバー１５のオスネジ部がグリップ１３のメスネジ部に螺合することで、グリップ１３と発光部カバー１５とが一体化し、筐体９が形成されている。筐体９の内部には、円柱状の空間が形成されている。
【００２７】
筐体９の内部には、第１の発光部３と、第２の発光部１７と、電池等で構成された電源１９と、ＣＰＵ２１とメモリ２３とを備えて構成された制御部７とが設けられている。第１の発光部３と第２の発光部１７と電源１９と制御部７とは、グリップ１３に一体的に設けられている。
【００２８】
なお、第２の発光部１７と電源１９とがグリップ１３内に設けられているのに対して、第１の発光部３は、グリップ１３の開口部から発光部カバー１５側に突出している。そして、第１の発光部３で発した光が、発光部カバー１５を通って、筐体９の外部に出てくるようになっている。すなわち、第１の発光部３が発光した色で発光部カバー１５が発光するようになっている。
【００２９】
電源１９は、制御部７や発光部３、１７に電力を供給するようになっている。第２の発光部１７は、たとえば、第１の発光部３とほぼ同様に構成されており、白色で発光するようになっている。
【００３０】
グリップ１３には、集合スイッチ５が設けられている。集合スイッチ５は、グリップ１３の、発光部カバー１５側の端部に設けられている。
【００３１】
グリップ１３の外径は、集合スイッチ５が設けられている箇所では一定になっている。すなわち、集合スイッチ５が設けられている箇所およびこの近傍では、グリップ１３の外形は円柱側面状になっている。
【００３２】
また、グリップ１３の外径は、発光部カバー１５および集合スイッチ５から離れるにしたがって（基端側に向かうにしたがって）次第に小さくなり最小径になった後次第に大きくなり、基端で集合スイッチ５が設けられている部位と同径になっている。グリップ１３を側面視すると、図１や図２で示すように、グリップ１３の中間部は一対の円弧によって、中央部がくびれている。
【００３３】
集合スイッチ５の被押圧部１１Ａ〜１１Ｉそれぞれの表面は、グリップ１３の円柱側面状部位の一部で形成されている。
【００３４】
図４を用いてさらに説明する。なお、図を見やすくするために、図４では、被押圧部１１Ａ〜１１Ｉを平面にして表している。集合スイッチ５が設けられている部位（矩形な平面状の部位）２７は、３行×３列で９分割されている。これにより、矩形状でお互いが同形状になっている９つのエリアが形成されている。これらの９つのエリアのそれぞれが、被押圧部１１Ａ〜１１Ｉになっている。また、９つのエリアの間には、僅かな幅の格子状の境界部２９が設けられている。
【００３５】
被押圧部１１Ａ〜１１Ｉは、たとえば、図４に示すように、連結部３３でつながっていることで一体化して集合体３５になっている。この集合体３３は、たとえば、透明もしくは半透明な合成樹脂で形成されており、一体成形されている。これにより、被押圧部１１Ａ〜１１Ｉの組付け作業を簡素化することができる。
【００３６】
さらに説明すると、グリップ１３の集合スイッチ５が設けられている箇所には、３行×３列で９つの貫通孔が形成されており、集合体３５を組付けると、上記貫通孔のそれぞれに、被押圧部１１Ａ〜１１Ｉのそれぞれが入って、被押圧部１１Ａ〜１１Ｉのそれぞれがグリップ１３の外面に現れる。一方連結部３３は、図４の紙面の奥側に位置しており、グリップ１３内に収まっている（境界部２９に隠れている）。
【００３７】
そして、第２の発光部１７が発した光が、被押圧部１１Ａ〜１１Ｉのそれぞれから筐体９の外部に出てくるようになっている。このとき、たとえば、連結部３３が導光部として作用する。
【００３８】
矩形状の被押圧部１１Ａ〜１１Ｉでは、「Ｇ」、「Ｂ」等の文字の部位以外の部位の表面が黒色等の遮光膜で覆われており、「Ｇ」の文字の部位が緑色の透明体の膜で覆われており、同様にして、各文字の部位がそれぞれに色で覆われている。
【００３９】
これにより、第２の発光部１７が発光すると、「Ｇ」の文字が緑色に発光し、「Ｂ」の文字が青色に発光し、「Ｐ」の文字が桃色に発光し、「Ｒ」の文字が赤色に発光し、電源のオン・オフを表す記号が白色に発光し、「Ｏ」の文字が橙色に発光し、「Ｗ」の文字が白色に発光し、「Ｙ」の文字が黄色に発光し、「Ｖ」の文字が紫色に発光するようになっている。
【００４０】
なお、集合スイッチ５の被押圧部１１Ａ〜１１Ｉにおける光の透過の具合いが、次にように変更されてもいてもよい。たとえば、矩形状の９つのエリア（文字等を除く部位）のそれぞれが、透明や半透明な材料で形成されており、文字等が不透明な材料で形成されていてもよい。
【００４１】
ここで、発光具１に動作について例に掲げて説明する。
【００４２】
ボタン１１Ｅが押されて（たとえば長押しされて）発光具１の電源が入ると、第１の発光部３と第２の発光部１７が所定の色（たとえば白色）で発光する。なお、発光具１の電源を入れたときに、前回電源をオフする直前に発光していた色を第１の発光部３が発光するようになっていてもよい。
【００４３】
続いて、ボタン１１Ａ（「Ｇ」の文字のボタン）が押されると（１回目の押圧と押圧解除とがされると）、第１の発光部３が、白色に代えてグリーンで発光し、グリーンで発光しているときに、さらにボタン１１Ａ（「Ｇ」の文字のボタン）が押されると（２回目の押圧と押圧解除がされると）、第１の発光部３が、グリーンに代えてエメラルドグリーンで発光する。さらに、ボタン１１Ａが押される毎に、グリーン、エメラルドグリーンが交互に切り換わる。
【００４４】
一方、第１の発光部３がグリーンもしくはエメラルドグリーンで発光しているときに、ボタン１１Ｄ（「Ｒ」の文字のボタン）が押されると、第１の発光部３がレッドで発光し、レッドで発光しているときに、さらにボタン１１Ｄ（「Ｒ」の文字のボタン）が押されると、第１の発光部３がパッションピンクで発光する。さらに同様にして、ボタン１１Ｄが押される毎に、レッド、パッションピンクが交互に切り換わる。
【００４５】
ボタン１１が押されることに応じて第１の発光部３が発光する色についてさらに詳しく説明すると、図８で示すようになる。
【００４６】
図８の表の操作ボタン（プッシュボタン）の列（もっとも左側の列）は、各ボタン１１Ａ〜１１Ｄ、１１Ｆ〜１１Ｉ（「Ｇ」の文字のボタン、「Ｂ」の文字のボタン、「Ｐ」の文字のボタン、「Ｒ」の文字のボタン、「Ｏ」の文字のボタン、「Ｗ」の文字のボタン、「Ｙ」の文字のボタン、「Ｖ」の文字のボタン）を示している。図８の表の他の列は、ボタン１１に対応して第１の発光部３が発する色を示している。ＬＥＤの輝度の列の数字は、値が大きいほど輝度が高いことを示しており「５１１」のときの最大輝度で発光することを示している。
【００４７】
たとえば、電源を入れた後、「Ｇボタン」が２回押されると、第１の発光部３は緑色系の色であるエメラルドグリーンで発光する。このとき、青色ＬＥＤの輝度は「２２５」になっており、緑色ＬＥＤの輝度は「５１１」になっており、赤色ＬＥＤの輝度は「３４９」になっている。
【００４８】
発光具１によれば、第１の発光部３が発する色を選択するための複数の被押圧部１１Ａ〜１１Ｄ、１１Ｆ〜１１Ｉを具備した集合スイッチ５を備えており、集合スイッチ５の各被押圧部１１Ａ〜１１Ｄ、１１Ｆ〜１１Ｉのうちの押圧された被押圧部に応じた色を、発光部３が発光するように構成されているので、発光部３が発光する色を発光具１の使用者が欲する色に、ワンタッチの押圧で素早く切り換えることができる。
【００４９】
また、発光具１によれば、押圧された被押圧部１１が押圧後に再び押圧されたときに、発光部３が発していた色と同系色の色を発光部３で発光するように構成されているので、被押圧部１１の数よりも多くの色を発光部３で発光させることができるとともに、使用者に僅かな感情の変化が生じたときに、同系色の複数種類の色のうちの１つの色（使用者が欲する色）を、１つの被押圧部１１を繰り返し押圧するだけで、容易に選択しこの選択した色を発光部３で発光させることができる。
【００５０】
また、発光具１によれば、集合スイッチ５において各被押圧部１１Ａ〜１１Ｉが３行×３列で配置されているので、被押圧部１１の選択と押圧とがしやすくなっている。
【００５１】
また、発光具１によれば、把持部１３がくびれているので、把持部１３を手で握ったまま集合スイッチ５を親指で操作するときに、手の母指球筋がくびれのところに収まり、上記操作がしやすくなる。
【００５２】
ところで、第２の発光部１７を削除し、第１の発光部３が発する光で、被押圧部１１の文字等が発光するようにしてもよい。この場合、各文字の部分を透明にし、「Ｇ」や「Ｂ」等の各文字が第１の発光部３と同じ色で発光することが望ましい。
【００５３】
また、第２の発光部１７に関して、各ボタン１１Ａ〜１１ＩのそれぞれにＬＥＤを設け、押されたボタン１１を１つだけ発光させるようにしてもよい。たとえば、第１の発光部３が緑系の色で発光しているときには、「Ｇ」の文字のみが発光するようにしてもよい。
【００５４】
また、発光具１において、第１の発光部３で同系色の色を順に発光させるとき、制御部７が、第１の発光部３での発光色に対応した発光パターン（たとえば点滅パターン）を、第１の発光部３、第２の発光部１７の少なくともいずれかを発光させでもよい。
【００５５】
たとえば、第１の発光部３でピンクの色（１つ目の色）を発光しているときに、第２の発光部１７が、所定の時間間隔で点滅し（１秒間点灯し１秒間消灯することを繰り返し）、第１の発光部３で桜ピンクの色（２つ目の色）を発光しているときに、第２の発光部１７が、別の時間間隔で点滅する（２秒間点灯し１秒間消灯することを繰り返す）ようにしてもよい。
【００５６】
このような発光パターンで第２の発光部１７が発光することで、第１の発光部３での発光に微妙な色違いであって、使用者が第１の発光部３が発している色を容易に判別することができる。
【００５７】
なお、上記説明では、第１の発光部３が発する同系色の色として、２種類の色を掲げているが、３種類以上の色を、切り換えて発光してもよい。
【００５８】
たとえば、緑系（Ｇ系）の色として、グリーン、エメラルドグリーンの他に、アーモンドグリーン、アイビーグリーン、オリーブ、オリーブグリーン等の色を掲げることができる。青系（Ｂ系）の色として、ブルー、パステルブルーの他に、アクア、コバルトブルー、セイラーブルー、パイロットフィッシュ等の色を掲げることができる。ピンク系（Ｐ系）の色として、ピンク、桜ピンクの他に、ヴェスタ、カーネーションピンク、コーラルピンク、ローズピンク等の色を掲げることができる。赤系（Ｒ系）の色として、レッド、パッションレッドの他に、カメリア、スカーレット、ローズレッド、ワインレッド等の色を掲げることができる。オレンジ系（Ｏ系）の色として、オレンジ、ライトオレンジの他に、アプリコット、ソレイユ、タンジェリンオレンジ、バレンシア等の色を掲げることができる。白系（Ｗ系）の色として、ホワイト、アイスブルーの他に、アイスグリーン、アイスピンク、アイスイエロー等のミルキーカラーを掲げることができる。黄色系（Ｙ系）の色として、イエロー、ひよこ色の他に、レモンイエロー、ライムライト、菜の花色等の色を掲げることができる。紫系（Ｖ系）の色として、バイオレット、パープルの他に、アザリア、オーキッド、パンジー、マロウ等の色を掲げることができる。
【００５９】
また、発光具１において、図３で示すように、グリップ１３に突出部２５を設け、この突出部２５の突出方向の先端に、矩形な平面状の部位２７を形成し、この矩形な平面状の部位２７に集合スイッチ５の各被押圧部１１を設けてもよい。
【００６０】
また、図６や図７で示すように、突出部２５の先端２７が、発光具１の長手方向で見て円弧状に形成されていてもよい。
【００６１】
図６で示す態様では、突出部２５の突出量が一定になっており、図７に示す態様では、突出部２５の突出量が中央で最も小さく、端部に向かうにしたがって次第に大きくなっている。
【００６２】
また、被操作部１１が、３×３以外の態様で設けられていてもよい。たとえば、２×２の態様、２×３の態様（行と列の数が異なる態様）、４×４の態様等で設けられていてもよい。
【符号の説明】
【００６３】
１  発光具
３  発光部
５  集合スイッチ
７  制御部
１１  被操作部（被押圧部；ボタン）
【図１】
2018081752.tif 000003
【図２】
2018081752.tif 000004
【図３】
2018081752.tif 000005
【図４】
2018081752.tif 000006
【図５】
2018081752.tif 000007
【図６】
2018081752.tif 000008
【図７】
2018081752.tif 000009
【図８】
2018081752.tif 000010